(57)【要約】【課題】  段ボールの中しんの方向による強度の相対的低下が少なく、且つ低コストで平版印刷版を包装可能な平版印刷版包装用段ボールと、この平版印刷版包装用段ボールを使用した平版印刷版包装構造を得る。【解決手段】  段ボール製の箱本体部材３４の底板部４０に、底板部４０と中しんが直交する方向の中板３６が貼着されており、底板部４０の中しんに沿った方向の屈曲や変形が防止される。中板３６を挟み込んで構成される底板部側保護部５０と天板部側保護部５２の総体での厚さ（高さ）Ｈ１が、版束１２と中板３６を合わせた高さＨと等しくされており、従来と同様の包装工程で包装できる。【選択図】  図４
2006036228.tif 000002
【特許請求の範囲】
【請求項１】
厚み方向に積層された複数枚の平版印刷版で構成される版束に対し、この版束の積層方向の一方の端面に対応して配置可能な底板部と、
前記底板部の対向する２辺からこれら２辺を第１折曲線として延出され、この第１折曲線で底板部に対して直角に折り曲げられることで前記版束の側面に接触可能な側板部と、
前記側板部の前記第１折曲線と対向する辺を第２折曲線として延出され、この第２折曲線で側板部に対して直角に折り曲げられることで版束の積層方向の他方の端面に接触可能な天板部と、
前記底板部の前記第１折曲線と直交する辺を第３折曲線として底板部から延出され、この第３折曲線及び、第３折曲線と平行な１又は複数の第４折曲線で前記中板を部分的に挟み込んで折り込まれることで、前記版束の前記側板部が接触していない側面に接触配置可能な底板側保護部を構成する底板部側折込部と、
前記天板部の前記第２折曲線と直交する辺を第５折曲線として天板部から延出され、この第５折曲線及び、第５折曲線と平行な１又は複数の第６折曲線で折り込まれることで、前記版束の前記側板部が接触していない側面に接触配置可能な天板側保護部を構成する天板部側折込部と、
を有する段ボール製の箱本体部材と、
前記底板部と前記版束との間に位置し、且つ底板部と中しんの方向が直交するように底板部に貼着された段ボール製の中板と、
を備え、
前記底板側保護部と前記天板側保護部の総体での高さが前記版束と前記中板とを合わせた高さと等しくなるように底板側折込部又は天板側折込部の形状が決められていることを特徴とする平版印刷版包装箱用段ボール。
【請求項２】
前記天板部側折込部の折込回数を前記底板部側折込部の折込回数よりも少なくすることで、前記底板側保護部と前記天板側保護部の総体での高さを前記版束の高さと等しくされていることを特徴とする請求項１に記載の平版印刷版包装箱用段ボール。
【請求項３】
請求項１又は請求項２に記載の平版印刷版包装箱用段ボールと、
前記平版印刷版包装箱用段ボールで包装された平版印刷版の版束と、
を有することを特徴とする平版印刷版包装構造。
【発明の詳細な説明】
【技術分野】
【０００１】
本発明は、平版印刷版の版束を包装するために使用される平版印刷版包装箱用段ボールと、この平版印刷版包装箱用段ボールを使用した平版印刷版包装構造に関する。
【背景技術】
【０００２】
近年の製版法（電子写真製版法を含む）では、製版工程の自動化を容易にすべく、感光性印刷版や感熱性印刷板等の平版印刷版が広く用いられている。平版印刷版は、一枚の薄い板状とされているため、角や辺、内部等に傷や変形があると、感光や感熱によって現像した際に像がぼけたり、印刷した際にインクが不均一になる等の問題が生じやすい。
【０００３】
たとえば、特許文献１には、底面板及び上面板にそれぞれ隣接された底面積層板及び上面積層板を折り込んで積層部を構成する段ボール外装体が記載されている。また、特許文献２には、底部に突縁部を形成し、この突縁部を折曲して角管状とする段ボール箱が記載されている。さらに、特許文献３には、底部だけでなく、この底部の上面に被包する蓋部にも突縁部を形成した段ボール箱が記載されている。
【０００４】
しかし、これらの段ボール外装体や段ボール箱は、いずれも１枚の段ボールで構成されているため、段ボールの中しんの方向に応じて、強度に方向性が生じる。すなわち、中しんと平行な方向の強度が相対的に低い。このような強度低下を防止するためには、あらかじめ強度の高い段ボールを使用することも考えられるが、コスト高を招くことになる。
【特許文献１】特開昭５４−１２９９６号公報
【特許文献２】特開昭６４−４５２４５号公報
【特許文献３】特開昭６４−４５２４６号公報
【発明の開示】
【発明が解決しようとする課題】
【０００５】
本発明は上記事実を考慮し、段ボールの中しんの方向による強度の相対的低下が少なく、且つ低コストで平版印刷版を包装可能な平版印刷版包装用段ボールと、この平版印刷版包装用段ボールを使用した平版印刷版包装構造を得ることを課題とする。
【課題を解決するための手段】
【０００６】
請求項１に記載の発明では、厚み方向に積層された複数枚の平版印刷版で構成される版束に対し、この版束の積層方向の一方の端面に対応して配置可能な底板部と、前記底板部の対向する２辺からこれら２辺を第１折曲線として延出され、この第１折曲線で底板部に対して直角に折り曲げられることで前記版束の側面に接触可能な側板部と、前記側板部の前記第１折曲線と対向する辺を第２折曲線として延出され、この第２折曲線で側板部に対して直角に折り曲げられることで版束の積層方向の他方の端面に接触可能な天板部と、前記底板部の前記第１折曲線と直交する辺を第３折曲線として底板部から延出され、この第３折曲線及び、第３折曲線と平行な１又は複数の第４折曲線で前記中板を部分的に挟み込んで折り込まれることで、前記版束の前記側板部が接触していない側面に接触配置可能な底板側保護部を構成する底板部側折込部と、前記天板部の前記第２折曲線と直交する辺を第５折曲線として天板部から延出され、この第５折曲線及び、第５折曲線と平行な１又は複数の第６折曲線で折り込まれることで、前記版束の前記側板部が接触していない側面に接触配置可能な天板側保護部を構成する天板部側折込部と、を有する段ボール製の箱本体部材と、前記底板部と前記版束との間に位置し、且つ底板部と中しんの方向が直交するように底板部に貼着された段ボール製の中板と、を備え、前記底板側保護部と前記天板側保護部の総体での高さが前記版束と前記中板とを合わせた高さと等しくなるように底板側折込部又は天板側折込部の形状が決められていることを特徴とする。
【０００７】
すなわち、この平版印刷版包装用段ボールを使用して平版印刷版の版束を包装する場合には、底板部に貼着された中板に版束の一方の端面を接触配置させ、側板部を第１折曲線で折り曲げて版束の側面に接触させる。さらに、天板部を第２折曲線で折り曲げて版束の積層方向の他方の端面に接触させる。
【０００８】
さらに、底板部側折込部を第３折曲線及び第４折曲線で折り曲げて底板側保護部を構成し、この底板側保護部を、版束の側面のうち側板部が接触していない側面に接触配置する。同様に、天板側折込部を第５折曲線及び第６折曲線で折り曲げて天板側保護部を構成し、この天板側保護部を、底板側保護部と同様に、版束の側面のうち側板部が接触していない側面に接触配置する。これにより、版束の側面のうち側板部が接触していない側面は、底板側保護部が底板側から、天板側保護部が天板側からそれぞれ接触して、外力に対する緩衝作用を発揮する。
【０００９】
ここで、底板部と中板とは、中しんの方向が直交するように配置されている。したがって、中板がない箱本体部材のみの構成と比較して、中しんの方向による強度の相対的な低下が防止され、底板部の中しんと平行な方向への屈曲や変形が防止されている。箱本体に中板を貼着するだけであり、しかも、いずれも一般的な段ボールを使用できるので、低コストで構成できる。
【００１０】
また、底板側折込部又は天板側折込部の形状は、底板側保護部と天板側保護部の総体での高さが版束の高さと等しくなるように決められている。換言すれば、底板部側折込部が中板を挟み込んでいても、底板側保護部と天板側保護部の総体での高さが中板の分だけ高く（厚く）なることはない。すなわち、底板側保護部と前記天板側保護部の総体での高さが、中板を有さない構成のものと同一となる。したがって、本発明の平版印刷版包装用段ボールで平版印刷版の版束を包装する場合、従来と同一の工程によって包装できる。たとえば、従来と同様の包装ライン（自動包装装置）を用いて、本発明の平版印刷版包装用段ボールで包装できる。
【００１１】
なお、底板側保護部と天板側保護部の総体での高さを版束の高さと等しくする具体的構成としては、たとえば、請求項２に記載のように、天板部側折込部の折込回数を底板部側折込部の折込回数よりも少なくすればよい。
【００１２】
請求項３に記載の発明では、請求項１又は請求項２に記載の平版印刷版包装箱用段ボールと、前記平版印刷版包装箱用段ボールで包装された平版印刷版の版束と、を有することを特徴とする。
【００１３】
請求項１又は請求項２に記載の平版印刷版包装用段ボールで平版印刷版の版束を包装しているので、低コストで、中しんの方向による強度の相対的な低下が防止され、底板部の中しんと平行な方向への屈曲や変形が防止される。包装された平版印刷版の変形も防止できる。
【００１４】
また、従来と同一の工程（包装ライン）を用いて、この平版印刷版包装構造を構成できる。
【００１５】
なお、本発明において、底板部と中板とで中しんの方向が「直交」しているとは、厳密に直交している（成す角が９０度になっている）場合を含むのはもちろんであるが、上記にように底板部の中しんに沿った方向の強度低下を防止できればよく、たとえば、成す角が９０±４５度程度の範囲で斜めに交差しているものも含む。
【発明の効果】
【００１６】
本発明は上記構成としたので、段ボールの中しんの方向による強度の相対的低下が少なく、且つ低コストで平版印刷版を包装できる。
【発明を実施するための最良の形態】
【００１７】
図３には、本発明の第１実施形態の平版印刷版包装構造３２が示されている。また、図１には、この平版印刷版包装構造３２において、平版印刷版包装用段ボール３０を構成する箱本体部材３４及び中板３６が示されている。平版印刷版包装構造３２は、平版印刷版１０が厚み方向に積層された版束１２を、箱本体部材３４及び中板３６で形成される外装箱３８で包装したものである。
【００１８】
平版印刷版１０は、長方形の板状に形成された薄いアルミニウム製の支持体上に、塗布膜（感光性印刷版の場合には感光層、感熱性印刷版の場合には感熱層、さらに必要に応じて、オーバーコート層やマット層等）を塗布して形成されている。この塗布膜に、露光、現像処理、ガム引き等の製版処理が行われ、印刷機にセットされ、インクが塗布されることで、紙面に文字、画像等が印刷される。なお、本実施形態の平版印刷版１０は、印刷に必要な処理（露光や現像等）が施される前段階のものであり、場合によっては平版印刷版原版あるいは平版印刷版材と称されることもある。
【００１９】
なお、このような構成とされていれば、平版印刷版１０の具体的構成は特に限定されないが、例えば、ヒートモード方式およびフォトン方式のレーザ刷版用の平版印刷版とすることによって、デジタルデータから直接製版可能な平版印刷版とすることができる。
【００２０】
また、平版印刷版１０は、感光層又は感熱層中の成分を種々選択することによって、種々の製版方法に対応した平版印刷版とすることができる。本発明に係る平版印刷版１０の具体的態様の例としては、下記（１）〜（１１）の態様が挙げられる。
（１）  感光層が赤外線吸収剤、熱によって酸を発生する化合物、および酸によって架橋する化合物を含有する態様。
（２）  感光層が赤外線吸収剤、および熱によってアルカリ溶解性となる化合物を含有する態様。
（３）  感光層が、レーザ光照射によってラジカルを発生する化合物、アルカリに可溶のバインダー、および多官能性のモノマーあるいはプレポリマーを含有する層と、酸素遮断層との２層を含む態様。
（４）  感光層が、物理現像核層とハロゲン化銀乳剤層との２層からなる態様。
（５）  感光層が、多官能性モノマーおよび多官能性バインダーとを含有する重合層と、ハロゲン化銀と還元剤を含有する層と、酸素遮断層との３層を含む態様。
（６）  感光層が、ノボラック樹脂およびナフトキノンジアジドを含有する層と、ハロゲン化銀を含有する層との２層を含む態様。
（７）  感光層が、有機光導電体を含む態様。
（８）  感光層が、レーザー光照射によって除去されるレーザー光吸収層と、親油性層および／または親水性層とからなる２〜３層を含む態様。
（９）  感光層が、エネルギーを吸収して酸を発生する化合物、酸によってスルホン酸またはカルボン酸を発生する官能基を側鎖に有する高分子化合物、および可視光を吸収することで酸発生剤にエネルギーを与える化合物を含有する態様。
（１０）  感光層が、キノンジアジド化合物と、ノボラック樹脂とを含有する態様。
（１１）  感光層が、光又は紫外線により分解して自己もしくは層内の他の分子との架橋構造を形成する化合物とアルカリに可溶のバインダーとを含有する態様。
【００２１】
特に、近年では、レーザーで露光する高感度感光タイプの塗布膜を塗布した平版印刷版や、感熱タイプの平版印刷版が使用されることもある（例えば上記した（１）〜（３）の態様等）。
【００２２】
なお、ここでいうレーザー光の波長は特に限定されず、例えば、
（Ａ）  波長域３５０〜４５０ｎｍのレーザー（具体例としては、波長４０５±５ｎｍのレーザーダイオード）。
（Ｂ）  波長域４８０〜５４０ｎｍのレーザー（具体例としては、波長４８８ｎｍのアルゴンレーザー、波長５３２ｎｍの（ＦＤ）ＹＡＧレーザー、波長５３２ｎｍの固体レーザー、波長５３２ｎｍの（グリーン）Ｈｅ−Ｎｅレーザー）。
（Ｃ）  波長域６３０〜６８０ｎｍのレーザー（具体例としては、波長６３０〜６７０ｎｍのＨｅ−Ｎｅレーザー、波長６３０〜６７０ｎｍの赤色半導体レーザー）。
（Ｄ）  波長域８００〜８３０ｎｍのレーザー（具体例としては、波長８３０ｎｍの赤外線（半導体）レーザー）。
（Ｅ）  波長１０６４〜１０８０ｎｍのレーザー（具体例としては、波長１０６４ｎｍのＹＡＧレーザー）。
【００２３】
等を挙げることができる。これらのうち、例えば、（Ｂ）及び（Ｃ）の波長域のレーザー光はいずれも、上記した（３）又は（４）の態様の感光層又は感熱層を有する平版印刷版の双方に適用可能である。また、（Ｄ）及び（Ｅ）の波長域のレーザー光はいずれも、上記した（１）又は（２）の態様の感光層又は感熱層を有する平版印刷版の双方に適用可能である。もちろん、レーザー光の波長域と感光層又は感熱層との関係はこれらに限定されない。
【００２４】
また、本実施形態の平版印刷版１０（上記した（１）〜（１１）の全ての態様の平版印刷版）は、版束１２を構成した状態で自動給版機能を持った自動製版機やいわゆるプレートセッター等にセットされ、製版工程への供給（給版）されることがある平版印刷版とされている。但し、実際の使用状況において、平版印刷版の使用者が平版印刷版１０を自動給版機構によって給版するか、手動で給版するか等の使い方に左右されない。もちろん、（１）〜（１１）以外の態様の平版印刷版であっても、自動給版機能を持った自動製版機やいわゆるプレートセッター等にセットされ、製版工程への供給（給版）される可能性がある平版印刷版は、全て本実施形態に係る平版印刷版１０に含まれる。
【００２５】
さらに、平版印刷版のなかには、使用される印刷機によって紙面の都合上、インクを塗布しない位置（すなわち印刷されない領域）にセットされて使用される、いわゆる「捨て版」あるいは「空版」と称されるものもある。このようは捨て版あるいは空版も、本実施形態に係る平版印刷版１０に含まれる。
【００２６】
平版印刷版１０の形状等は特に限定されず、例えば、厚み０．１〜０．５ｍｍ、長辺（幅）３００〜２０５０ｍｍ、短辺（長さ）２００〜１５００ｍｍのアルミニウム板の片面又は両面に塗布膜（感光層あるいは感熱層等）が塗布されたもの等とすることができる。
【００２７】
そして、図１から分かるように、塗布膜を保護する合紙１４と、平版印刷版１０と、を交互に厚み方向に重ね合わせて、さらに重ね合わせ方向の両端面、あるいは平版印刷版１０の所定枚数ごとに保護用厚紙２２を配置する。そして、これら全体を、遮光性、防湿性を有する図示しない内装紙で内装して、平版印刷版１０の版束１２が構成されている。１つの版束１２を構成する平版印刷版１０の数は特に限定されないが、運搬や保管の効率化の観点等から、例えば１０枚〜２００枚とすることができる。平版印刷版１０を１０枚以上とすることで、荷扱いの効率化を図ることができる。また、２００枚以下とすることで、版束１２自体の重量が制限されることになるので、荷扱いにおける作業負荷が軽減される。また、さらに多くの平版印刷版１０によって版束１２を構成し、より効率的に（少ない荷扱いの回数で）運搬や保管をできるようにすることも可能である。平版印刷版１０の種類によっては、合紙１４及び保護用厚紙２２のいずれか一方若しくは双方を省略して、平版印刷版１０の版束１２を構成してもよい。
【００２８】
なお、平版印刷版の種類によっては、支持体の片面だけでなく、両面に塗布膜が設けられたもの（いわゆる「両面品」）がある。このような両面品の平版印刷版によって版束１２を構成する場合には、図１において最も下側の平版印刷版１０のさらに下（平版印刷版１０と保護用厚紙２２の間）にも合紙１４を１枚配置する（従って、合紙１４は平版印刷版１０よりも１枚多くなる）。これにより、平版印刷版１０の塗布膜が保護用厚紙２２に直接接触しなくなるので、塗布膜と保護用厚紙２２とが直接接触することによる塗布膜の損傷が防止される。
【００２９】
合紙１４としては、平版印刷版１０の塗布膜（画像形成面）を保護できれば、具体的構成は特に限定されないが、例えば、木材パルプを１００％使用した紙や、木材パルプを１００％使用せず合成パルプを使用した紙、及びこれらの紙の表面に低密度ポリエチレン層を設けた紙等を使用できる。特に、合成パルプを使用しない紙では、材料コストが低くなるので、低コストで合紙１４を製造することができる。より具体的には、漂白クラフトパルプから抄造した坪量３０〜６０ｇ／ｍ2 、密度０．７〜０．８５ｇ／ｃｍ3 、水分４〜８％、ＰＨ４〜６の合紙が挙げられるが、もちろんこれに限定されない。
【００３０】
また、保護用厚紙２２としては、故紙から抄造した坪量２００〜１５００ｇ／ｍ2、密度０．７〜０．８５ｇ／ｃｍ3、水分４〜８％、ベック平滑度３〜２０秒、ＰＨ４〜６の保護用厚紙２２を使用することができる。なお、例えば１０枚〜１００枚の平版印刷版１０によって版束１２を構成した場合には、平版印刷版１０と保護用厚紙２２とがずれないように、粘着テープ等の固定手段でこれらを固定してもよい。
【００３１】
平版印刷版１０を厚み方向に積層して版束１２を構成する工程も特に限定されないが、例えば、ウエブ状の平版印刷版を長手方向に搬送しつつ所定のサイズに裁断する平版印刷版の加工ラインでは、平版印刷版１０を順次集積する集積装置が設けられることが一般的であるので、この集積装置で集積することで、版束１２を構成すればよい。また、この加工ラインでは、裁断前のウエブ状の平版印刷版に、同じくウエブ状の合紙が接触配置され、その後にウエブ状の平版印刷版と合紙とが一体で裁断されて所定サイズとされることが多いので、この場合には、集積装置での集積時に、平版印刷版１０と合紙１４とが交互に積層された状態で版束１２が構成される。もちろん、平版印刷版１０と合紙１４とを交互に積層したのち、さらにカッタ等によって平版印刷版１０の端部を切りそろえて、版束１２を構成してもよい。
【００３２】
図１及び図２に示すように、箱本体部材３４は１枚の段ボールで構成されており、版束１２を構成する平版印刷版１０の積層方向の一方の端面（底面１２Ｂ）と略同形とされた底板部４０を有している。図１から分かるように、箱本体部材３４は、底板部４０の長辺（すなわち平版印刷版１０の長辺）と中しんとが平行となるようにその向きが決められている。この２本の長辺はいずれも第１折込線Ｌ１となっており、第１折込線Ｌ１を境界として底板部４０から側板部４２が延出されている。側板部４２は、版束１２の側面に接触する形状とされている。
【００３３】
それぞれの側板部４２からは、第１折込線Ｌ１と対向する辺を第２折込線Ｌ２として、天板部４４が延出されている。２枚の天板部４４は、それぞれの先端４４Ｔをつき合わせることで、版束１２の他方の端面（天面１２Ｔ）に、天面１２Ｔを覆うことができる形状とされている。
【００３４】
底板部４０の、側板部４２が延出されていない２つの辺は第３折込線Ｌ３とされており、第３折込線Ｌ３を境界として、底板部側折込部４６が延出されている。底板部側折込部４６には、第３折込線Ｌ３と平行な１又は複数本（本実施形態では１本）の第４折込線Ｌ４が所定位置に形成されており、第３折込線Ｌ３及び第４折込線Ｌ４で順に直角に折り曲げることができる。
【００３５】
また、底板部４０には、図４にも示すように、版束１２を包装した状態で、版束１２の底面１２Ｂと底板部４０との間に位置する中板３６が貼着されている。そして、中板３６の長手方向の端部近傍３６Ｅを挟み込むようにして底板部側折込部４６を第３折込線Ｌ３及び第４折込線Ｌ４で略直角に折り込むことで、底板部側保護部５０が構成される。底板部側保護部５０は、版束１２の、側板部４２が接触していない側面に底面１２Ｂ側から部分的に接触している。
【００３６】
これに対し、２つの天板部４４では、第２折込線Ｌ２とされていないそれぞれ２本、合計４本の辺が第５折込線Ｌ５とされており、第５折込線Ｌ５を境界として、天板部側折込部４８が延出されている。天板部側折込部４８には、第５折込線Ｌ５と平行な複数本（本実施形態では２本）の第６折込線Ｌ６が所定位置に形成されており、第５折込線Ｌ５及び第６折込線Ｌ６で順に直角に折り込むことで、図４にも示すように、天板部側保護部５２が構成される。底板部側保護部５０も、版束１２の、側板部４２が接触していない側面に底面側から部分的に接触している。すなわち、版束１２の、側板部４２が接触していない側面には、底板部側保護部５０と天板部側保護部５２とがそれぞれ上下から突き合せれるようにして接触している。そして底板部側保護部５０と天板部側保護部５２とによって、外力に対する緩衝作用を発揮している。したがって、外力が底板部側保護部５０又は天板部側保護部５２によって吸収され、版束１２の平版印刷版１０に作用しないので、平版印刷版１０の損傷や変形が防止される。
【００３７】
ここで、図２に示すように、底板部側折込部４６の底板部４０からの延出長Ｅ１は、天板部側折込部４８の天板部４４からの延出長Ｅ２よりも短くされている。さらに、第４折込線Ｌ４の数も、第６折込線Ｌ６の数よりも１本少なくされて、折込回数が１回少なくなっている。そしてこれにより、中板３６の端部近傍３６Ｅを挟み込んで構成される底板部側保護部５０の厚みが、中板３６をはさみこまない天板部側保護部５２と同一の厚みＴ１を有するようになっている（これに対し、底板部側折込部４６の延出長Ｅ１を天板部側折込部４８の延出長Ｅ２と同一とし、さらに折込回数も同一としてしまった構成では、中板３６の分だけ底板部側保護部５０が厚くなってしまう）。そして、底板部側保護部５０と天板部側保護部５２の総体での厚さ（高さ）Ｈ１が、版束１２と中板３６を合わせた高さＨと等しくされている。
【００３８】
以上の構成とされた本願の平版印刷版包装用段ボール３０を使用して平版印刷版１０の版束１２を包装する場合には、まず、中板３６の端部近傍３６Ｅを挟み込むようにして底板部側折込部４６を第３折込線Ｌ３及び第４折込線Ｌ４で略直角に折り込み、底板部側保護部５０を構成する。同様に、天板部側折込部４８を第５折込線Ｌ５及び第６折込線Ｌ６で順に直角に折り込んで、天板部側保護部５２を構成する。
【００３９】
そして、中板３６上に版束１２を載置した後、第１折込線Ｌ１で側板部４２を底板部４０に対し直角に折り込むと共に、第２折込線Ｌ２で天板部４４を側板部４２に対し直角に折り込む。これにより、側板部４２は版束１２の側面に接触し、天板部４４は、版束１２の天面に接触すると共に、互いの先端４４Ｔが線状に接触する。この状態で、図３に示すように、外装箱３８が構成されるので、必要に応じて、図示しない粘着テープ等を使用して、箱形状を維持する。版束１２は、底板部４０（中板３６を含む）、側板部４２、天板部４４、底板部側保護部５０及び天板部側保護部５２によって周囲を覆われて、本発明の平版印刷版包装構造３２が得られている。
【００４０】
ここで、図４に示すように、版束１２の底面１２Ｂ側には、中板３６及び底板部４０が位置しているが、それぞれの中しんの方向は直交している。一般に段ボールは中しんと平行な方向の強度が低く、中しんに沿って直線状に屈曲しやすい。しかし、本実施形態のように中しんが直交していると、中板３６がない構成と比較して、底板部４０の中しんに沿った方向の強度低下が、中板３６によって補われる。これにより、底板部４０の中しんに沿った方向の屈曲や変形が防止されるので、包装された版束１２の平版印刷版１０に関しても、屈曲や変形が防止される。このように、本発明では中板３６を追加するのみで、上記の屈曲や変形を防止されるため、コスト高を招くことははく、低コストで平版印刷版１０の版束１２を包装できる。
【００４１】
また、平版印刷版１０を外装箱３８から取り出す場合には、図５に示すように、平版印刷版１０の長辺１０Ｌが床面ＦＬと平行になるようにして、外装箱３８を壁面ＷＯ等に斜めに立てかけることがある。このとき、中板３６が貼着されていない外装箱では、天板部４４を開放した状態で、二点鎖線で示すように底板部が湾曲あるいは屈曲してしまうおそれがある。しかし、本実施形態では、中板３６の中しんの方向が床面ＦＬと直交する方向（略鉛直方向）となっているので、このような底板部の湾曲や屈曲も防止できる。
【００４２】
しかも、本実施形態では、上記したように、中板３６を含んで底板部側保護部５０を構成しても、その厚さ、ひいては底板部側保護部５０と天板部側保護部５２をの総体での厚さを、版束１２の高さＨと等しくしている。これにより、従来と同様の包装工程によって外装箱３８を組み立てて版束１２を包装できる。たとえば、従来と同様の包装ライン（自動包装装置）を用いての包装や取り扱いも可能となる。
【００４３】
なお、底板部側保護部５０を構成するために底板部側折込部４６を折り込む回数は特に制限されないが、本実施形態では、２つの折込線で折り込むようにしている。実質的には、図４からも分かるように、底板部側折込部４６の先端部分を底板部４０に向かって折り返すのみでよく、１回の折り込みで簡単に底板部側保護部５０が構成できる。
【００４４】
同様に、天板部側保護部５２を構成するために天板部側折込部４８を折り込む回数も特に制限されないが、天板部側保護部５２が中板３６を挟み込んでいないことを考えると、中板３６に相当する厚みを得るために、底板部側折込部４６よりも１回多い折り込み回数で折り込めばよいだけなので、簡単に天板部側保護部５２も構成できる。特に、自動包装機等を使用する場合には、折り込み回数が制限されることがあるが、本実施形態の平版印刷版包装用段ボール３０を使用すると、このような制限があっても問題なく包装できる。
【００４５】
また、本発明において、中板３６に加えて、箱本体部材３４と中しんの方向が直交する新たな段ボールを配置してもよいが、このような新たな段ボールを追加しなくても、本発明では底板部４０に中板３６を貼着することのみで十分な強度が得られる。すなわち本発明では実質的に、補強が必要とされる箇所にのみ、中板３６によって十分な強度を得ることができる。
【図面の簡単な説明】
【００４６】
【図１】本発明の第１実施形態の平版印刷版包装用段ボールを示す斜視図である。
【図２】本発明の第１実施形態の平版印刷版包装用段ボールの箱本体部材を示す展開図である。
【図３】本発明の第１実施形態の平版印刷版包装用段ボールで平版印刷版の版束を包装（外装）した平版印刷版包装構造を示す斜視図である。
【図４】本発明の第１実施形態の平版印刷版包装構造の内部を示す説明図である。
【図５】本発明の第１実施形態の平版印刷版包装構造において斜めに立てかけた外装箱を開封した状態を示す斜視図である。
【符号の説明】
【００４７】
１０   平版印刷版
１０Ｌ 長辺
１２   版束
１４   合紙
２２   保護用厚紙
３０   平版印刷版包装用段ボール
３２   平版印刷版包装構造
３４   箱本体部材
３６   中板
３８   外装箱
４０   底板部
４２   側板部
４４Ｔ 先端
４４   天板部
４６   底板部側折込部
４８   天板部側折込部
５０   底板部側保護部
５２   天板部側保護部
Ｌ１   第１折込線
Ｌ２   第２折込線
Ｌ３   第３折込線
Ｌ４   第４折込線
Ｌ５   第５折込線
Ｌ６   第６折込線
【図１】
2006036228.tif 000003
【図２】
2006036228.tif 000004
【図３】
2006036228.tif 000005
【図４】
2006036228.tif 000006
【図５】
2006036228.tif 000007